(57)【要約】  【課題】  ひとつのフック棒吊下げ用金具３にシャッターレール固定機能、および壁パネル固定機能を兼備させることにより柱２に対するフック棒吊下げ用金具３、シャッターレール１０及び壁パネル１１の取付け施工の迅速簡略化、低コスト化を図れるフック棒吊下げ用金具の取付装置を提供する。  【解決手段】  柱２の第１リップ７の内面側に配される金具本体１２の本体一端部１２ｂに雌ねじ孔１９を設け、第１取付ボルト１４を第１リップ７の外面側に重ね合わされたシャッターレール１０のレール保持板２０及び第１リップ７に貫通させて雌ねじ孔１９に螺合する。柱２の第２リップ８とこの外側に重ね合わされた壁パネル１１の端板１１ａとを、金具本体１２の本体他端部１２ｃと押さえ板１３との間で挟み付けた第２取付ボルト１８で締め付けている。【選択図】      図３
2005273420.tif 000002
【特許請求の範囲】
【請求項１】
ウェブと、このウェブの両端に略直角に連設した第１，２フランジ、および第１，２フランジの各端縁から内向きに曲げた第１，２リップを有する断面リップ付き溝形状に形成された柱に、フック棒吊下げ用金具を取り付けている、フック棒吊下げ用金具の取付装置において、
前記柱の第１フランジの外側に、シャッターの一端部を上下縦方向に摺動案内するシャッターレールが隣接配置されるとともに、該シャッターレールと一体化されたレール保持板が前記第１リップの外面上に重ね合わされ、前記柱の第２リップの外側に壁パネルが隣接配置されるとともに、該壁パネルの一側端に備えた端板が前記第２リップの外面上に重ね合わされており、
前記フック棒吊下げ用金具が前記柱内に配されて前記第１，２リップ間に露出する本体中間部と、この本体中間部より前記第１リップ内面側にまで一体に延びた本体一端部、前記本体中間部より前記第２リップ内面側にまで一体に延びた本体他端部とを有する金具本体と、前記本体一端部に設けた第１雌ねじ孔と、前記本体他端部に設けた第２雌ねじ孔と、前記本体他端部の外面側から前記端板の内面側にわたって重ね合わした押さえ板と、前記第１雌ねじ孔に螺合可能な第１取付ボルト、および前記第２雌ねじ孔に螺合可能な第２取付ボルトと、を備えており、
前記本体中間部に、前記シャッターの引き降ろしに使用されるフック棒のフック部が抜き差し可能に差し込まれる引掛け孔を設けており、
前記第１取付ボルトが前記レール保持板及び第１リップに貫通されるとともに前記第１雌ねじ孔に螺合され締付けられて前記レール保持板が前記第１リップに重合固定されており、
前記第２取付ボルトが前記押さえ板に貫通されるとともに前記第２雌ねじ孔に螺合され締付けられて、前記第２リップ及び前記端板が前記本体他端部と前記押さえ板間で挟持固定されていることを特徴とする、フック棒吊下げ用金具の取付装置。
【請求項２】
前記引掛け孔が、前記本体中間部の下端縁から下方へ所定傾斜角度で内向きに延設された突片に縦長孔状に形成されている、請求項１記載のフック棒吊下げ用金具の取付装置。
【請求項３】
前記引掛け孔が、前記本体中間部の上端縁から上方へ所定傾斜角度で内向きに延設された突片にも縦長孔状に形成されている、請求項２記載のフック棒吊下げ用金具の取付装置。
【発明の詳細な説明】
【技術分野】
【０００１】
本発明は、組立て式物置やガレージのシャッターの引き降ろしに用いられるフック棒を吊下げるのに使用するフック棒吊下げ用金具の取付装置に関する。
【背景技術】
【０００２】
従来、この種のフック棒吊下げ用金具として、フック棒の先端のフック部を係止し、フック棒を吊り下げ可能に形成し、この金具を壁面や柱等に取り付けるようにしたものが公知である（例えば、特許文献１参照。）。
他方、シャッターで正面開口部を開閉する組立て式物置において、前柱の内面側にシャッターを上下縦方向に摺動案内するシャッターレールをビス等の止め付け部材で止め付け、前柱の後面側には側壁たる壁パネルの一端部を挟持具やボルト等の止め付け部材で接合固定するものがある（例えば、特許文献２参照。）。
【０００３】
【特許文献１】特開平９−３１０５７２号公報
【特許文献２】実開昭５８−３５５９３号公報（第３図）
【発明の開示】
【発明が解決しようとする課題】
【０００４】
しかるに、上記フック棒吊下げ用金具はフック棒の吊り下げ専用に構成されている。他方、上記組立て式物置では、前柱にシャッターレールを止め付ける部材と、前柱に壁パネルの一端部を接合固定する止め付け部材とはそれぞれ個別に使用される。したがって、例えば、上記のようなシャッターで開閉される物置において、前柱にフック棒吊下げ用金具を取り付けるにしても、フック棒吊下げ用金具の取付け作業のほかに、前柱にシャッターレールと壁パネルの端部をそれぞれ別々の止め付け部材を用いて止め付けなければならず、全体的に数多くの止め付け部材を要し、また止め付け工数を増大し、止め付け部材コストや施工コストの高騰を招くという問題が生じる。
【０００５】
本発明は、このような問題を解決するためになされたものであり、その目的とするところは、ひとつのフック棒吊下げ用金具に本来のフック棒吊り下げ機能のほかに、シャッターレール固定機能および壁パネル固定機能をも兼備させることにより柱に対するフック棒吊下げ用金具、シャッターレールおよび壁パネル取付け施工の迅速簡略化、低コスト化を図れるフック棒吊下げ用金具の取付装置を提供することにある。
【課題を解決するための手段】
【０００６】
上記目的を達成するために、本発明は、ウェブ（４）と、このウェブの両端に略直角に連設した第１，２フランジ（５）（６）、および第１，２フランジの各端縁から内向きに曲げた第１，２リップ（７）（８）を有する断面リップ付き溝形状に形成された柱（２）に、フック棒吊下げ用金具（３）を取り付けている、フック棒吊下げ用金具の取付装置において、
柱（２）の第１フランジ（５）の外側に、シャッター（９）の一端部を上下縦方向に摺動案内するシャッターレール（１０）が隣接配置されるとともに、該シャッターレールと一体化されたレール保持板（２０）が第１リップ（７）の外面上に重ね合わされ、柱（２）の第２リップ（８）の外側に壁パネル（１１）が隣接配置されるとともに、該壁パネルの一側端に備えた端板（１１ａ）が第２リップ（８）の外面上に重ね合わされていること、
フック棒吊下げ用金具（３）が柱（２）内に配されて第１，２リップ（７）（８）間に露出する本体中間部（１２ａ）と、この本体中間部より第１リップ（７）内面側にまで一体に延びた本体一端部（１２ｂ）、前記本体中間部より第２リップ（８）内面側にまで一体に延びた本体他端部（１２ｃ）とを有する金具本体（１２）と、本体一端部（１２ｂ）に設けた第１雌ねじ孔（１９）と、本体他端部（１２ｃ）に設けた第２雌ねじ孔（２４）と、本体他端部（１２ｃ）の外面側から端板（１１ａ）の内面側にわたって重ね合わした押さえ板（１３）と、第１雌ねじ孔（１９）に螺合可能な第１取付ボルト（１４）、および第２雌ねじ孔（２４）に螺合可能な第２取付ボルト（１８）と、を備えていること、
前記本体中間部（１２ａ）に、シャッター（９）の引き降ろしに使用されるフック棒（１６）のフック部（１６ａ）が抜き差し可能に差し込まれる引掛け孔（１５）を設けていること、
前記第１取付ボルト（１４）がレール保持板（２０）及び第１リップ（７）に貫通されるとともに第１雌ねじ孔（１９）に螺合され締付けられてレール保持板（２０）が第１リップ（７）に重合固定されていること、
前記第２取付ボルト（１８）が押さえ板（１３）に貫通されるとともに第２雌ねじ孔（２４）に螺合され締付けられて、第２リップ（８）及び端板（１１ａ）が本体他端部（１２ｃ）と押さえ板（１３）間で挟持固定されていること、に特徴を有するものである。
【０００７】
この場合において、前記引掛け孔は、前記本体中間部の下端縁から下方へ所定傾斜角度で内向きに延設された突片に縦長孔状に形成することができる。また、前記引掛け孔は、前記本体中間部の上端縁から上方へ所定傾斜角度で内向きに延設された突片にも縦長孔状に形成することができる。
【発明の効果】
【０００８】
上記構成のフック棒吊下げ用金具の取付装置によれば、金具本体を柱内の第１，２リップ間に配し、第１取付ボルトをレール保持板及び第１リップに貫通させると共に第１雌ねじ孔に螺合させて締付けることにより柱にシャッターレールを固定することができ、金具本体の本体他端部と押さえ板の間に柱の第２リップ及び壁パネルの端板を挟んで第２取付ボルトを押さえ板に貫通すると共に第２雌ねじ孔に螺合して締付けることにより柱に壁パネルを接合固定できる。したがって、このようにフック棒吊下げ用金具を柱に取り付けると、フック棒のフック部を引掛け孔に引掛け可能にする以外に、柱にシャッターレールの一部および壁パネルの一部をそれぞれ固定することができる。
【０００９】
フック棒吊下げ用金具が柱へのシャッターレールおよび壁パネルの止め付け部材を兼備しているので、それだけ柱へのシャッターレールおよび壁パネルの止め付け部材点数及び止め付け工数の減少を図れる。
【００１０】
また、このようにフック棒吊下げ用金具は柱内の第１，２リップ間に取付けられることにより柱断面の補強機能を発揮する。
【発明を実施するための最良の形態】
【００１１】
本発明の好適な実施形態を図面に基づき説明する。図１は本発明の一実施例を示すフック棒吊下げ用金具の取付装置を備えた物置の一部の横断平面図、図２は図１のフック棒吊下げ用金具の取付装置の平面図、図３は図１のフック棒吊下げ用金具の取付装置の横断平面図、図４は図１のフック棒吊下げ用金具の取付装置の分解斜視図、図５は図１のフック棒吊下げ用金具の取付装置の取付け途上の状態を示す斜視図、図６は図１のフック棒吊下げ用金具の引掛け孔にフック棒のフック部を引掛けて吊り下げた状態の断面図である。
【００１２】
図１、図２において、本発明に係るフック棒吊下げ用金具の取付装置１は、組立て式物置等の前側の左右いずれか一方の柱２の室内面側の床面から所定高さ位置に、フック棒吊下げ用金具３を取り付ける構造となっている。柱２は軽量形鋼製であって、ウェブ４と、このウェブ４の両端に略直角に連設された第１，２フランジ５，６、および第１，２フランジ５，６の各端縁から内向きに曲げた第１，２リップ７，８を有する断面リップ付き溝形状に形成されている。第２フランジ６は第１フランジ５よりも少し長く形成している。第１，２リップ７，８の各端縁には折返縁７ａ，８ａを内向きに設けている。左右の柱２，２の各第１フランジ５の外側には、シャッター９を上下縦方向に開閉自在に摺動案内する断面溝形状のシャッターレール１０が平行に隣接配置される。また、左右の柱２，２の各第２リップ７の外側には側壁たる壁パネル１１が隣接配置される。
【００１３】
フック棒吊下げ用金具３は、図４に示すように、横長矩形状板状の金具本体１２と、金具本体１２に設けた第１，２雌ねじ孔１９，２４と、押さえ板１３、および第１，２雌ねじ孔１９，２４にそれぞれ螺合可能な第１，２取付ボルト１４，１８とを備える。
図２ないし図４に示すように、金具本体１２は、柱２内の第１，２リップ７，８間に配されて第１，２リップ７，８間に露出する本体中間部１２ａと、この本体中間部１２ａより第１リップ７の内面側にまで一体に延びた本体一端部１２ｂ、本体中間部１２ａより第２リップ８の内面側にまで一体に延びた本体他端部１２ｃとを有する形に形成されている。また本体一端部１２ｂから本体他端部１２ｃにわたって補強リブ２７を設けている。なお、図示例では柱２の断面リップ付き溝形状として、第２フランジ６を第１フランジ５よりも少し長く形成し、これに対応して金具本体１２を断面「く」の字形状に屈曲形成してあるが、柱２の第１フランジ５と第２フランジ６を同じ長さに形成し、金具本体１２を本体一端部１２ｂから本体他端部１２ｃにわたって真直ぐな平板形状に形成するものであってもよい。
【００１４】
柱２の第１，２リップ７，８間に露出する金具本体１２の本体中間部１２ａには引掛け孔１５を設け、この引掛け孔１５に、シャッター９の引き降ろしに使用される、図５に示すごときフック棒１６の先端に直角に屈曲形成した断面円形のフック部１６ａが抜き差し可能に差し込まれるようにしている。引掛け孔１５は、図６に示すように金具本体１２の本体中間部１２ａの上下端縁にそれぞれ所定傾斜角度α、たとえば１４０°で内向きに延設した突片１７に縦長孔状に形成している。
【００１５】
図４に示すように、突片１７は本体中間部１２ａの上下端縁に上下対称に設けているのは、左右の柱２のいずれにもこのフック棒吊下げ用金具３を上下反転させて取り付けることを可能にするためである。図６のように、このフック棒吊下げ用金具３の取付状態で金具本体１２の本体中間部１２ａの下端縁から下方へ所定傾斜角度で内向きに延設された突片１７の引掛け孔１５に、フック棒１６のフック部１６ａが引掛けられることになるが、このとき突片１７の引掛け孔１５が縦長孔形状に形成されているとフック棒１６のフック部１６ａを差込み易くする。また、図６に示すように、突片１７の引掛け孔１５を縦長孔形状に形成するとともに、該突片１７を所定傾斜角度αで内向きに設けていると、フック棒１６のフック部１６ａを引掛け孔１５に引掛けて吊り下げたときフック部１６ａを引掛け孔１５内の上下端１５ａ．１５ｂで押さえる状態に支持することができるため、フック棒１６がシャッター９を開く時の振動等により不慮に落下するようなことはなく安定よく吊り下げておくことができる。
【００１６】
図３に示すように、金具本体１２の本体一端部１２ｂの先端には、第１取付ボルト１４の螺合する第１雌ねじ孔１９を設けている。柱２の第１リップ７の外面側にはシャッターレール１０に一体結合された断面Ｚ形状のレール保持板２０が重ね合わされ、第１取付ボルト１４を第１リップ７の床面から所定高さ位置に設けたボルト挿通孔２１に通すと共に第１雌ねじ孔１９に螺合して締付けることにより柱２にシャッターレール１０の一部が固定されるようになっている。
【００１７】
図４、図５に示すように、金具本体１２の本体一端部１２ｂの上下端縁には凹部２２を突片１７に並べて設ける一方、柱２の第１リップ７に内向き折返縁７ａを形成し、この内向き折返縁７ａのボルト挿通孔２１を設けた高さ位置付近に相当する箇所には切欠２３を設けている。かくして、第１リップ７の切欠２３に金具本体１２の本体一端部１２ｂの凹部２２を係合させることにより柱２に対するフック棒吊下げ用金具３の取付高さの位置決めが容易に行えるようにしてある。
【００１８】
図３、図４に示すように、金具本体１２の本体他端部１２ｃの中間部位には第２取付ボルト１８が螺合する第２雌ねじ孔２４を設け、本体他端部１２ｃの先端には第２リップ８の内側に係合する断面フック形状の挟持片１２ｄを形成している。
【００１９】
図３、図４に示すように、押さえ板１３は金具本体１２の本体他端部１２ｃの外面側に重ね合わされる。押さえ板１３はこれの基端にフック形状の継手片１３ａを設け、この継手片１３ａを金具本体１２の本体中間部１２ａに開口した係合孔２５に遊嵌状に係合させることにより押さえ板１３が金具本体１２に対し接離可能でかつ容易にばらつくことのないように継ぎ合わせている。押さえ板１３の先端には第２リップ８の外側に重ね合わされる壁パネル１１の端板１１ａを第２リップ８に対し押え付けるための挟持片１３ｂを形成している。この挟持片１３ｂは壁パネル１１の端板１１ａに形成した断面Ｌ形部１１ｂに合致する断面Ｌ形状に形成している。押さえ板１３の中間部位には第２取付ボルト１８が遊嵌状に挿通する挿通孔２６を設けている。また押さえ板１３の上下端縁には位置合せ用突片１３ｃ、１３ｄを内向きに突設し、この上下の位置合せ用突片１３ｃ，１３ｄを金具本体１２の本体他端部１２ｃの上下端縁の外側に嵌めこむことにより挿通孔２６が第２雌ねじ孔２４と合致するようにしている。なお、押さえ板１３には補強リブ２８を設けている。
【００２０】
図３に示すように、第２取付ボルト１８は押さえ板１３の挿通孔２６に挿通させ、金具本体１２の第２雌ねじ孔２４に螺合させて締付けることにより押さえ板１３を金具本体１２の本体他端部１２ｃの外側に押し付けることができる。
【００２１】
図３に示すように、柱２の第２リップ８の外側には壁パネル１１の端板１１ａが重ね合わされ、これら第２リップ８及び壁パネル１１の端板１１ａを、金具本体１２の本体他端部１２ｃの挟持片１２ｄと押さえ板１３の挟持片１３ｂとの間で挟み付け、第２取付ボルト１８を押さえ板１３の挿通孔２６に通すと共に金具本体１２の第２雌ねじ孔２４に螺合して締付けることにより柱２に壁パネル１１を固定できるようにしている。
【００２２】
次に、柱２へのフック棒吊下げ用金具３の取付け要領の一例について説明する。
まず、柱２の第１リップ７の外側にシャッターレール１０のレール保持板２０を重ね、第２リップ８の外側に壁パネル１１の端板１１ａを重ねておく。次いで、図５に矢印Ａで示すように、予め金具本体１２に押さえ板１３及び第２取付ボルト１８をセットしたフック棒吊下げ用金具３を、金具本体１２の本体一端部１２ｂを柱２の第１，２リップ７，８間の溝開口から差し込んで該本体一端部１２ｂが第１リップ７のボルト挿通孔２１を有する部分の内面側に、本体他端部１２ｃが第２リップ８の内面側にそれぞれ位置するように柱２内に入れる。その際、第１リップ７の内向き折返縁７ａに設けた切欠２３に金具本体１２の本体一端部１２ｂの上下縁に設けた凹部２２を係合させることにより柱２に対するフック棒吊下げ用金具３の取付高さの位置決めが容易に行える。
【００２３】
次いで、図２、図３に示すように、第１取付ボルト１４を、シャッターレール１０のレール保持板２０のボルト挿通孔２９及び柱２の第１リップ７のボルト挿通孔２１に通すと共に第１雌ねじ孔１９に螺合して締付けることでシャッターレール１０のレール保持板２０を柱２の第１リップ７に固定することができる。また、金具本体１２の本体他端部１２ｃの挟持片１２ｄと押さえ板１３の挟持片１３ｂの間で第２リップ８及び壁パネル１１の端板１１ａを挟み付け、第２取付ボルト１８を押さえ板１３の挿通孔２６に通すと共に金具本体１２の第２雌ねじ孔２４に螺合して締付けることで壁パネル１１の端板１１ａを柱２の第２リップ８に固定することができる。
【００２４】
このように取り付けられたフック棒吊下げ用金具３は引掛け孔１５を柱２の第１，２リップ７，８間に露出するので、この引掛け孔１５にシャッター９の引き降ろしに使用されるフック棒１６のフック部１６ａを引掛けて吊り下げることができる。
【００２５】
また、そのようにフック棒吊下げ用金具３を柱２に取付けるとともに、シャッターレール１０の一部及び壁パネル１１の一部をそれぞれ柱２に固定することができる。したがって、柱２に対するシャッターレール１０及び壁パネル１１の取付け施工の省力化、およびそれらシャッターレール１０、壁パネル１１の取付けに要する止め付け部材点数の減少に寄与できるというものである。
【図面の簡単な説明】
【００２６】
【図１】本発明の一実施例を示すフック棒吊下げ用金具の取付装置を備えた物置の一部の横断平面図である。
【図２】図１のフック棒吊下げ用金具の取付装置の平面図である。
【図３】図１のフック棒吊下げ用金具の取付装置の横断平面図である。
【図４】図１のフック棒吊下げ用金具の分解斜視図である。
【図５】図１のフック棒吊下げ用金具の取付装置の取付け途上の状態を示す斜視図である。
【図６】図１のフック棒吊下げ用金具の引掛け孔にフック棒のフック部を引掛けて吊り下げた状態の断面図である。
【符号の説明】
【００２７】
１  フック棒吊下げ用金具の取付装置
２  柱
３  フック棒吊下げ用金具
４  ウェブ
５  第１フランジ
６  第２フランジ
７  第１リップ
８  第２リップ
９  シャッター
１０  シャッターレール
１１  壁パネル
１１ａ  壁パネルの端板
１２  金具本体
１２ａ  本体中間部
１２ｂ  本体一端部
１２ｃ  本体他端部
１３  押さえ板
１４  第１取付ボルト
１５  引掛け孔
１６  フック棒
１６ａ  フック部
１７  突片
１８  第２取付ボルト
１９  第１雌ねじ孔
２０  レール保持板
２４  第２雌ねじ孔
【図１】
2005273420.tif 000003
【図２】
2005273420.tif 000004
【図３】
2005273420.tif 000005
【図４】
2005273420.tif 000006
【図５】
2005273420.tif 000007
【図６】
2005273420.tif 000008